(57)【要約】【課題】清掃の容易化並びに低廉化及び軽量化を図り、加えて、形状の簡素化を図ることができるガスコンロ用の五徳を提供する。【解決手段】ガスコンロ本体Ｈの上部に配置する天板３におけるコンロバーナ設置箇所の周囲に配置する環状の五徳枠５Ａに、五徳枠径方向に延びる姿勢の五徳爪５Ｂが、五徳枠５Ａの周方向の複数箇所に設けられ、五徳爪５Ｂが、五徳枠５Ａに下端が固定された状態で上方に伸びる姿勢の内側縦片５ｎと、内側縦片５ｎの上端から五徳枠径方向に沿って外方側に延びる姿勢の上側片５ｕと、上側片５ｕの外端部から下方に伸びる姿勢で且つ下端が天板３に載置される外側縦片５ｓとから構成され、五徳枠５Ａ又は内側縦片５ｎの下端部が天板３に載置されるように構成されている。【選択図】図１
2014020646.tif 000002
【特許請求の範囲】
【請求項１】
ガスコンロ本体の上部に配置する天板におけるコンロバーナ設置箇所の周囲に配置する環状の五徳枠に、五徳枠径方向に延びる姿勢の五徳爪が、前記五徳枠の周方向の複数箇所に設けられているガスコンロ用の五徳であって、
前記五徳爪が、前記五徳枠に下端が固定された状態で上方に伸びる姿勢の内側縦片と、前記内側縦片の上端から前記五徳枠径方向に沿って外方側に延びる姿勢の上側片と、前記上側片の外端部から下方に伸びる姿勢で且つ下端が前記天板に載置される外側縦片とから構成され、
前記五徳枠又は前記内側縦片の下端部が前記天板に載置されるように構成されているガスコンロ用の五徳。
【請求項２】
前記五徳枠が前記天板に載置されるように構成され、
前記外側縦片の下端部に、前記天板に接当する緩衝部材が装備されている請求項１記載のガスコンロ用の五徳。
【請求項３】
前記上側片が、前記五徳枠径方向における内方側端部を、前記五徳枠径方向において、前記内側縦片の下端部よりも内方側に位置させる形態に構成されている請求項１又は２記載のガスコンロ用の五徳。
【請求項４】
前記内側縦片における、少なくとも前記五徳枠径方向における内方側部分が、上方側部を下方側部よりも前記五徳枠径方向において内方側に位置させる形態に構成されている請求項３記載のガスコンロ用の五徳。
【請求項５】
前記五徳枠が、前記五徳枠径方向に沿って幅広となる状態に構成され、
前記内側縦片の下端が、前記五徳枠の外周部に固定されている請求項１〜４のいずれか１項に記載のガスコンロ用の五徳。
【請求項６】
請求項５記載のガスコンロ用の五徳を備えたガスコンロであって、
前記天板の前記コンロバーナ設置箇所に、バーナ挿通用開口が形成され、
前記バーナ挿通用開口の内縁と前記コンロバーナ設置箇所に配置するコンロバーナとの間の隙間を塞ぐバーナリングが、前記コンロバーナ又は前記天板に位置決めされた状態で設けられ、
前記五徳枠が、前記五徳枠径方向における外方部を前記天板に載置しかつ前記五徳枠径方向における内方部にて前記バーナリングを覆う状態で、前記バーナリング又は前記コンロバーナに位置決めされるように構成されているガスコンロ。
【発明の詳細な説明】
【技術分野】
【０００１】
本発明は、ガスコンロ本体の上部に配置する天板におけるコンロバーナ設置箇所の周囲に配置する環状の五徳枠に、五徳枠径方向に延びる姿勢の五徳爪が、前記五徳枠の周方向の複数箇所に設けられているガスコンロ用の五徳、及び、ガスコンロ用の五徳を備えたガスコンロに関する。
【背景技術】
【０００２】
ガスコンロ用の五徳は、ガスコンロに装備されるコンロバーナにて加熱する鍋やフライパン等の調理容器を載置支持するために、ガスコンロに装備されるものであり、五徳爪が、五徳枠径方向に延びる姿勢で形成されることにより、大径の調理容器や小径の調理容器を適切に載置支持できるようになっている。
【０００３】
かかるガスコンロ用の五徳の従来例として、五徳爪が、五徳枠から五徳枠径方向に沿って内方側に延びる姿勢の下側片と、この下側片の外端部から上方に延びる姿勢の縦片と、この縦片の上端から五徳枠径方向に沿って内方側に延びる姿勢の上側片とを備える形態に構成され、そして、五徳枠が、天板に載置されるように構成されたものがある（例えば、特許文献１参照。）。
【０００４】
つまり、特許文献１に開示される五徳は、天板に載置される環状の五徳枠の周方向の複数箇所に、五徳枠径方向の内方側に向けて開口するコの字状に形成された五徳爪を設ける形態に構成されている。
【０００５】
また、特許文献１には、このような五徳を備えるガスコンロとして、ガラス製の天板のコンロバーナ設置箇所に、バーナ挿通用開口が形成され、バーナ挿通用開口の内縁とコンロバーナ設置箇所に配置するコンロバーナとの間の隙間を塞ぐバーナリングが、天板に位置決めされた状態で設けられているガスコンロが開示されている。
つまり、バーナリングを設けることによって、調理容器から吹き零れた煮汁等の異物がガスコンロ本体の内部に侵入することを抑制できるようになっている。
【０００６】
ちなみに、特許文献１においては、五徳枠が、バーナリングよりも大径の環状の軸状部材にて形成され、五徳爪における下側片の内端部が、バーナリングに設けた係止凹部に係合することにより、五徳枠がバーナリングに位置決めされるように構成されている。
【先行技術文献】
【特許文献】
【０００７】
【特許文献１】特開２００２−３３３１４６号公報
【発明の概要】
【発明が解決しようとする課題】
【０００８】
従来のガスコンロ用の五徳は、五徳枠径方向の内方側に向けて開口するコの字状の五徳爪を備えるものであるため、清掃し難い不都合や、五徳の低廉化及び軽量化を図り難い不都合があり、さらには、五徳爪の形状が複雑になることに起因して、五徳の外観が複雑な印象を与えるものとなる不都合があり、改善が望まれるものであった。
【０００９】
説明を加えると、五徳は、例えば、調理容器としての鍋にて煮物調理を行うときに、鍋から溢れ出した煮汁が付着する等、使用に伴って汚れるものであるから、適時、天板から取外して、清掃することになる。
具体的には、例えば、取外した五徳の汚れを湯水にて洗浄し、その後、清掃用の布等にて、五徳爪や五徳枠を拭き取る等の清掃作業を行うことになる。
【００１０】
五徳爪を清掃する際には、五徳枠や五徳爪の表面部はもちろんのこと、五徳爪における上側片の下方部分、下側片の上方部分、縦片の内方部分等、コの字状の五徳爪の内方側箇所をも清掃する必要がある。
そして、五徳爪が、五徳枠径方向の内方側に向けて開口するコの字状であるから、五徳爪の上側片と下側片との間の空間に対して、五徳枠の中心側より外方に向けて手指を挿入することができれば、上側片の下方部分、下側片の上方部分、縦片の内方部分等、コの字状の五徳爪の内方側箇所を適切に清掃することができる。
【００１１】
しかしながら、複数の五徳爪が五徳枠の周方向に沿って並ぶものであるから、五徳爪の上側片と下側片との間の空間に対して、五徳枠の中心側より外方に向けて手指を挿入しようとする際に、他の五徳爪が邪魔になる虞があり、また、一般に、五徳爪の高さはそれほど高くないものであるから、五徳爪の上側片と下側片との上下方向での間隔が狭くて、手指を挿入し難い等に起因して、五徳爪の上側片と下側片との間の空間に対して、手指を挿入し難いものであり、その結果、コの字状の五徳爪の内方側箇所を適切に清掃し難いものであった。
【００１２】
また、五徳は、大径の調理容器や小径の調理容器を載置支持するものであるから、五徳爪の上側片は、五徳枠径方向に沿う長さが長くなる状態に形成されることになる。
そして、五徳爪が、五徳枠径方向の内方側に向けて開口するコの字状に形成される場合においては、上側片は、縦片に対して片持ち姿勢で支持される形態で、五徳枠径方向の内方側に向けて大きく突出するものとなる。
【００１３】
このため、例えば、小径でありながら大きな重量の調理容器を五徳に載置すると、上側片の先端部（内端部）に大きな荷重が作用して、縦片と上側片との接続部分に大きなモーメントが作用し、かつ、上側片に大きな曲げモーメントが作用する等、載置した調理容器の荷重により、縦片と上側片との接続部分に大きなモーメントが作用し、かつ、上側片に大きな曲げモーメントが作用する場合がある。
【００１４】
したがって、縦片と上側片との接続部分に大きなモーメントが作用しても、上側片を縦片に対して所望の姿勢に維持させ、かつ、上側片に大きな曲げモーメントが作用しても、上側片の曲がりを抑制するために、従来では、縦片を、五徳枠径方向に沿って広幅の板状に形成し、かつ、上側片を上下方向に沿う板状でかつ外方側ほど広幅となる形状に形成する等、五徳爪の各部を板状に形成することにより、五徳爪の強度を増大させるようにしているが、この場合、五徳の形状が複雑になって、五徳の外観が複雑な印象を与えるものとなる不都合がある。
【００１５】
また、上記の如く、五徳爪の各部を板状に形成することにより、五徳爪の強度を向上させる場合には、五徳爪を形成するための材料量が多くなって、五徳爪を製作する材料費が高くなり、また、五徳爪を形成するための材料量が多くなることにより、五徳の重量が増大するものであり、五徳の低廉化や軽量化を図ることができないものであった。
【００１６】
また、従来のガスコンロ用の五徳を備えたガスコンロにおいては、バーナ挿通用開口の内縁とコンロバーナ設置箇所に配置するコンロバーナとの間の隙間を塞ぐバーナリングの上部が、露出しているため、例えば、調理容器としての鍋にて煮物調理を行うときに、鍋から溢れ出した煮汁が、バーナリングに付着する等により、バーナリングが使用に伴って頻繁に汚れることになる。
【００１７】
バーナリングが汚れた場合には、バーナリングを清掃することになるが、バーナリングは、天板に位置決めされた状態で設けられており、清掃のためにガスコンロから取外すことができないため、バーナリングを清掃する際には、清掃用の布等にて、汚れを拭き取る掃作業を行うことになるが、天板に位置決めされているバーナリングの拭き取り作業は行い難いものであり、しかも、拭き取るだけでは十分に汚れを取り除くことができない虞がある。
【００１８】
かかる不都合を回避すべく、バーナリングを覆うリングカバーを着脱自在に設けることによって、バーナリングが汚れることを抑制して、バーナリングの清掃を頻繁に行わなくてもよいようにすることが考えられる。
しかしながら、この場合には、別途リングカバーを設けることにより、ガスコンロの構成が複雑化する不利がある。
【００１９】
本発明は、上記実情に鑑みて為されたものであって、その目的は、清掃の容易化並びに低廉化及び軽量化を図り、加えて、形状の簡素化を図ることができるガスコンロ用の五徳を提供する点にある。
また、本発明の別の目的は、バーナリングの汚れを簡素な構成にて抑制できるガスコンロを提供する。
【課題を解決するための手段】
【００２０】
本発明のガスコンロ用の五徳は、ガスコンロ本体の上部に配置する天板におけるコンロバーナ設置箇所の周囲に配置する環状の五徳枠に、五徳枠径方向に延びる姿勢の五徳爪が、前記五徳枠の周方向の複数箇所に設けられているものであって、その第１特徴構成は、
前記五徳爪が、前記五徳枠に下端が固定された状態で上方に伸びる姿勢の内側縦片と、前記内側縦片の上端から前記五徳枠径方向に沿って外方側に延びる姿勢の上側片と、前記上側片の外端部から下方に伸びる姿勢で且つ下端が前記天板に載置される外側縦片とから構成され、
前記五徳枠又は前記内側縦片の下端部が前記天板に載置されるように構成されている点を特徴とする。
【００２１】
すなわち、五徳爪が、五徳枠に下端が固定された状態で上方に伸びる姿勢の内側縦片、内側縦片の上端から前記五徳枠径方向に沿って外方側に延びる姿勢の上側片、及び、上側片の外端部から下方に伸びる姿勢の外側縦片を備える、下向きに開口するコの字状に構成されることになる。
ちなみに、調理容器を五徳爪に載置する際には、調理容器が五徳爪における上側片の上部に載置されることになる。
【００２２】
このように、五徳枠の周方向の複数箇所に設けられる五徳爪が、下向きに開口するコの字状に構成されているから、五徳を天板から外して清掃する際に、内側縦片の五徳枠径方向における外方部分、上側片の下方部分、及び、外側縦片の五徳枠径方向における内方部分等、五徳爪の内方側箇所をも良好に清掃し易いものとなる。
【００２３】
つまり、五徳を清掃する際には、五徳枠や五徳爪の表面部に加えて、五徳爪の内方側箇所をも清掃することになる。
そして、五徳爪の内方側箇所を清掃する際に、下向きに開口するコの字状に構成されている五徳爪の開口側から奥部側に向けて手指を移動させる形態で、内側縦片と外側縦片との間の空間に対して手指を挿入すれば、他の五徳爪にて邪魔されることなく、内側縦片と外側縦片との間の空間に対して手指を適切に挿入できることになる。
【００２４】
ちなみに、天板から取外した五徳の姿勢は、天地反転させる等、種々変更できるものであるから、例えば、天地反転させた姿勢や横倒れ姿勢で、内側縦片と外側縦片との間の空間に対して、他の五徳爪にて邪魔されることなく、コの字状の五徳爪の開口側から奥部側に向けて手指を挿入できることになる。
【００２５】
また、内側縦片と外側縦片との五徳枠径方向における間隔は、大小の調理容器を載置するために五徳枠径方向の長さが長く形成される上側片の長さに対応して、広くなるものであるから、五徳爪の内方側箇所を清掃する際に、内側縦片と外側縦片との間の空間は、手指を良好に挿入できる幅を備えるものである。
【００２６】
したがって、五徳爪の内方側箇所を清掃する際に、内側縦片と外側縦片との間の空間に手指を挿入して、五徳爪の内方側箇所を良好に清掃することができるため、五徳の清掃の容易化を図ることができるのである。
【００２７】
また、五徳爪の外側縦片の下端が天板にて載置され、五徳枠又は内側縦片の下端部が天板に載置されるものであるから、調理容器を載置する上側片が、内側縦片と外側縦片とにより支持されるものとなる。
つまり、上側片が、五徳枠径方向における内端部が内側縦片にて支持され、かつ、五徳枠径方向における外端部が外側縦片にて支持される両持ち姿勢で、内側縦片と外側縦片とにより支持されるものとなる。
【００２８】
このように、上側片が内側縦片と外側縦片とにより両持ち姿勢で支持されるものであるから、上側片に作用する荷重を、内側縦片と外側縦片とが分散して支持することになるため、内側縦片と上側片との接続部分や外側縦片と上側片との接続部分に掛かるモーメントを減少させることができるため、内側縦片や外側縦片を、細い軸状部材等、細い部材にて構成することができ、加えて、上側片は両持ち姿勢で支持されるものであるから、上側片も、細い軸状部材等、細い部材にて構成することができる。
【００２９】
このように、内側縦片、外側縦片、及び、上側片を、細い部材にて構成することができるものであるから、五徳爪を製作するための材料量を減少させて、五徳爪を製作する材料費を低下させることができるため、五徳の低廉化を図ることができるのであり、かつ、五徳爪を製作するための材料量の減少により、五徳の軽量化を図ることができるのである。
【００３０】
また、内側縦片、外側縦片及び上側片からなる五徳爪を、細い軸状部材等の細い部材を用いて、下向きに開口するコの字状に形成できるものであるから、五徳爪の形状が、ほっそりした簡素な形状となるのであり、五徳爪の外観が簡素な印象を与えるものとなる。
【００３１】
要するに、本発明の第１特徴構成によれば、清掃の容易化並びに低廉化及び軽量化を図り、加えて、形状の簡素化を図ることができるガスコンロ用の五徳を提供できる。
【００３２】
本発明のガスコンロ用の五徳の第２特徴構成は、上記第１特徴構成に加えて、
前記五徳枠が前記天板に載置されるように構成され、
前記外側縦片の下端部に、前記天板に接当する緩衝部材が装備されている点を特徴とする。
【００３３】
すなわち、天板に載置される五徳枠が、五徳爪の内側縦片を支持することになる。つまり、天板に支持される五徳枠が、五徳爪の内側縦片に掛かる荷重を受止めることになる。
このため、五徳枠には大きな荷重が作用することになるが、環状の五徳枠は、天板に対する大きな接触面積を確保することができるため、天板に載置される五徳枠が天板を損傷することを抑制できる。
【００３４】
これに対して、外側縦片は、天板に対する大きな接触面積を確保できないものの、外側縦片の下端部には、天板に接当する緩衝部材が装備されているから、外側縦片が天板を損傷することを抑制できる。
【００３５】
したがって、五徳爪に調理容器が載置されることによって、五徳枠や外側縦片が天板に圧接されるものとなっても、天板の損傷を抑制することができるのである。
【００３６】
要するに、本発明の第２特徴構成によれば、上記第１特徴構成による作用効果に加えて、天板の損傷を抑制することができるガスコンロ用の五徳を提供できる。
【００３７】
本発明のガスコンロ用の五徳の第３特徴構成は、上記第１又は第２特徴構成に加えて、
前記上側片が、前記五徳枠径方向における内方側端部を、前記五徳枠径方向において、前記内側縦片の下端部よりも内方側に位置させる形態に構成されている点を特徴とする。
【００３８】
すなわち、上側片の五徳枠径方向における内方側端部が、五徳枠径方向において、内側縦片の下端部よりも内方側に位置させるものであるから、内側縦片がコンロバーナに近づくことを抑制しながらも、上側片の五徳枠径方向における内方側端部を、五徳枠の中心側に近づけるようにすることができる。
【００３９】
したがって、上側片の五徳枠径方向における内方側端部を、五徳枠の中心側に近づけるようにすることによって、小径の調理容器をも良好に載置できるようにしながらも、内側縦片がコンロバーナに近づくことを抑制することにより、内側縦片がコンロバーナにて加熱されることを回避して、五徳爪の耐久性の向上を図ることができ、しかも、コンロバーナにて形成される火炎温度の低下が抑制して、燃焼排ガス中の一酸化炭素濃度を低減することができる。
【００４０】
要するに、本発明の第３特徴構成によれば、上記第１又は第２特徴構成による作用効果に加えて、小径の調理容器をも良好に載置できるようにしながらも五徳爪の耐久性の向上を図りかつ燃焼排ガス中の一酸化炭素濃度の低減することができるガスコンロ用の五徳を提供できる。
【００４１】
本発明のガスコンロ用の五徳の第４特徴構成は、上記第３特徴構成に加えて、
前記内側縦片における、少なくとも前記五徳枠径方向における内方側部分が、上方側部を下方側部よりも前記五徳枠径方向において内方側に位置させる形態に構成されている点を特徴とする。
【００４２】
すなわち、内側縦片における、少なくとも五徳枠径方向における内方側部分が、上方側部を下方側部よりも五徳枠径方向において内方側に位置させる形態であるから、上側片の五徳枠径方向における内方側端部を、五徳枠径方向において、内側縦片の下端部よりも内方側に位置させる場合において、上側片の五徳枠径方向における内方側端部が、内側縦片の上方側部に対して、五徳枠径方向において内方側に突出しないようにする、又は、五徳枠径方向において内方側に突出する量を少なくすることができる。
【００４３】
つまり、上側片の五徳枠径方向における内方側端部を、五徳枠径方向において、内側縦片の下端部よりも内方側に位置させる場合において、内側縦片を、上方側部と下方側部とを五徳枠径方向において同じ位置に位置させる直立姿勢で設けることが考えられるが、この場合、上側片の五徳枠径方向における内方側端部が、内側縦片の上方側部に対して、五徳枠径方向において内方側に大きく突出する状態となる。
【００４４】
このように、上側片の五徳枠径方向における内方側端部が、内側縦片の上方側部に対して、五徳枠径方向において内方側に大きく突出する状態になると、例えば、清掃用の布等によって、五徳を拭き清掃する際に、内側縦片から大きく突出している上側片の内方側端部に、清掃用の布等が引っ掛かり易くなる等、五徳の清掃作業に支障を招く虞がある。
【００４５】
本第４特徴構成によれば、上側片の五徳枠径方向における内方側端部が、内側縦片の上方側部に対して、五徳枠径方向において内方側に突出しないようにする、又は、五徳枠径方向において内方側に突出する量を少なくすることができるものであるから、例えば、清掃用の布等によって、五徳を拭き清掃する際に、上側片の内方側端部に、清掃用の布等が引っ掛かることを回避する等、上側片の内方側端部が五徳の清掃作業に支障を招くことを回避できるのである。
【００４６】
要するに、本発明の第４特徴構成によれば、上記第３特徴構成による作用効果に加えて、上側片の内方側端部が五徳の清掃作業に支障を招くことを回避できるガスコンロ用の五徳を提供できる。
【００４７】
本発明のガスコンロ用の五徳の第５特徴構成は、上記第１〜第４特徴構成のいずれかに加えて、
前記五徳枠が、前記五徳枠径方向に沿って幅広となる状態に構成され、
前記内側縦片の下端が、前記五徳枠の外周部に固定されている点を特徴とする。
【００４８】
すなわち、五徳枠が、五徳枠径方向に沿って幅広となる状態に構成されているから、五徳枠の強度が上昇することになり、そして、このように強度が上昇した五徳枠の周方向の複数箇所に五徳爪を支持することになるから、五徳全体の強度上昇を図ることができる。
【００４９】
また、内側縦片の下端が、五徳枠の外周部に固定されているから、五徳枠の清掃が行い易いものとなる。
つまり、例えば、内側縦片の下端を、五徳枠における五徳枠径方向の中間部に固定すると、五徳枠における内側縦片よりも内方側に位置する部分に対する清掃が、内側縦片の存在により行い難いものとなるが、内側縦片の下端が、五徳枠の外周部に固定されているから、五徳枠の清掃を、内側縦片が支障となること少なく、良好に行えるものとなる。
【００５０】
要するに、本発明の第５特徴構成によれば、上記第１〜第４特徴構成による作用効果に加えて、五徳全体の強度上昇を図ることができながらも、五徳枠の清掃を良好に行うことができるガスコンロ用の五徳を提供できる。
【００５１】
本発明のガスコンロは、上記第５特徴構成のガスコンロ用の五徳を備えたガスコンロであって、
前記天板の前記コンロバーナ設置箇所に、バーナ挿通用開口が形成され、
前記バーナ挿通用開口の内縁と前記コンロバーナ設置箇所に配置するコンロバーナとの間の隙間を塞ぐバーナリングが、前記コンロバーナ又は前記天板に位置決めされた状態で設けられ、
前記五徳枠が、前記五徳枠径方向における外方部を前記天板に載置しかつ前記五徳枠径方向における内方部にて前記バーナリングを覆う状態で、前記バーナリング又は前記コンロバーナに位置決めされるように構成されている点を特徴とする。
【００５２】
すなわち、バーナ挿通用開口の内縁とコンロバーナ設置箇所に配置するコンロバーナとの間の隙間を塞ぐバーナリングが設けられているから、調理容器から吹き零れた煮汁等の異物がガスコンロ本体の内部に侵入することを抑制できる。
【００５３】
そして、五徳枠が、五徳枠径方向における外方部を天板に載置しかつ五徳枠径方向における内方部にてバーナリングを覆う状態で、バーナリング又はコンロバーナに位置決めされるように構成されているから、五徳枠がバーナリングを覆う作用によって、バーナリングが汚れることを極力抑制できるため、バーナリングに対する清掃を頻繁に行う必要がなくなるのである。
【００５４】
つまり、バーナリングを覆うカバー材として、五徳枠を利用する簡素な構成にて、バーナリングが汚れることを極力抑制できるのである。
【００５５】
要するに、本発明によれば、バーナリングの汚れを簡素な構成にて抑制できるガスコンロを提供できる。
【図面の簡単な説明】
【００５６】
【図１】ガスコンロの斜視図
【図２】コンロバーナの装着部を示す縦断側面図
【図３】五徳の平面図
【図４】図３におけるＩＶ−ＩＶ線断面図
【図５】五徳枠の外周側端部の縦断断面図
【図６】バーナリングの斜視図
【発明を実施するための形態】
【００５７】
〔実施形態〕
本発明の実施形態を図面に基づいて説明する。
（ガスコンロの構成）
図１に示すように、上部が開口した長方体状のガスコンロ本体Ｈの上面部に、コンロバーナ１として、左方側コンロバーナ１Ａ及び右方側コンロバーナ１Ｂを備え、且つ、ガスコンロ本体Ｈの内部にグリル部Ｇを備えるガスコンロが構成されている。
このガスコンロは、キッチンカウンタに形成したコンロ装着口に上方から挿入して組付ける、いわゆる組付式タイプとして構成されるものであって、詳述はしないが、ガスコンロ本体Ｈの上部の周縁部には、キッチンカウンタに載置する鍔部が形成されている。
【００５８】
ガスコンロ本体Ｈの上部には、ガラス製の天板３が配置され、ガスコンロ本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、２つのコンロバーナ１の夫々に対応して設けられている。
【００５９】
ちなみに、ガスコンロ本体Ｈの前面部には、左方側コンロバーナ１Ａ及び右方側コンロバーナ１Ｂの夫々に対する点火及び消火を各別に指令する押し操作式の左方側のコンロ用操作具６Ａ及び右方側のコンロ用操作具６Ｂ、グリル部Ｇに装備したグリルバーナ（図示せず）に対する点火及び消火を指令する押し操作式のグリル用操作具７、左方側コンロバーナ１Ａ及び右方側コンロバーナ１Ｂの夫々についての火力を各別に調節するスライド操作式の左方側のコンロ用火力調節具８Ａ及び右方側のコンロ用火力調節具８Ｂ、並びに、グリルバーナの火力を調節するスライド式のグリル用火力調節具９等、種々の操作器が設けられている。
【００６０】
（コンロバーナの構成）
左方側コンロバーナ１Ａ及び右方側コンロバーナ１Ｂは同様に構成されるものであり、以下、コンロバーナ１の構成を、左方側コンロバーナ１Ａを代表にして説明する。
図２に示すように、左方側コンロバーナ１Ａは、ガスノズルＮからガス燃料が供給される混合管部１０ａ及びバーナボディ部１０ｂを備えるバーナ本体１０と、バーナボディ部１０ｂの上部に着脱自在に載置されるバーナキャップ１１とを備えている。
【００６１】
天板３におけるコンロバーナ設置箇所には、バーナ挿通用開口１２が形成されている。
そして、バーナ本体１０が、バーナボディ部１０ｂをバーナ挿通用開口１２内に位置させた状態で、ガスコンロ本体Ｈに支持されている。
つまり、左方側コンロバーナ１Ａが、天板３に形成したバーナ挿通用開口１２を通して、バーナボディ部１０ｂを天板３の下方から上方に突出させる状態で、ガスコンロ本体Ｈに装着されている。
【００６２】
バーナ挿通用開口１２の内縁とコンロバーナ設置箇所に配置された左方側コンロバーナ１Ａとの間の隙間を塞ぐバーナリング１３が、天板３に位置決めされた状態で設けられている。
すなわち、バーナリング１３は、図６にも示すように、環状の平板部１３Ａと、その平板部１３Ａの下面における径方向の中央部から下方に突出する筒部１３Ｂとを備える形態に構成されている。
【００６３】
そして、バーナリング１３は、平板部１３Ａの径方向外方側部分を天板３の上面に載置した状態で、筒部１３Ｂの下端部が天板３の下面部に設けた固定金具Ｊに連結されることにより、天板３に位置決めされるように構成されている。
ちなみに、バーナリング１３の筒部１３Ｂとバーナ本体１０のバーナボディ部１０ｂとの間に、環状のシール材Ｑが配置されており、また、図示は省略するが、バーナリング１３の平板部１３Ａの径方向外方下側部分と天板３との間にも、シール材が配置される。
【００６４】
尚、上記の通り、本実施形態においては、バーナリング１３を、天板３に位置決めする状態で設ける場合を例示するが、バーナリング１３を、コンロバーナ１に対して位置決めする状態で設ける形態で実施してもよい。
【００６５】
ちなみに、図２において、Ｐは、コンロバーナ１を点火する点火用の点火プラグであり、Ｓは、鍋等の調理容器の存否を検出し且つその温度を検出するための被加熱物検出センサであって、上下方向に伸縮自在でかつ上方に復帰付勢された伸縮体Ｓ１を備えて、この伸縮体Ｓ１が被加熱物に押されて下方に移動したことを伸縮検知部Ｓ２にて検出することにより被加熱物の存在を検出し、かつ、伸縮体Ｓ１の上端部に設けた温度検知部Ｓ３にて、調理容器の温度を検出するように構成されている。
【００６６】
（五徳の構成）
次に、五徳５について詳述する。
図１及び図２に示すように、五徳５は、天板３におけるコンロバーナ設置箇所の周囲に配置する環状の五徳枠５Ａと、五徳枠径方向に延びる姿勢の五徳爪５Ｂとからなり、五徳爪５Ｂが、五徳枠５Ａの周方向の複数箇所に設けられている。
ちなみに、本実施形態においては、五徳枠５Ａ及び五徳爪５Ｂはステンレス製であり、そして、６個の五徳爪５Ｂが、６０度間隔に設けられている。
【００６７】
五徳爪５Ｂは、五徳枠５Ａに下端が固定された状態で上方に伸びる姿勢の内側縦片５ｎと、内側縦片５ｎの上端から五徳枠径方向に沿って外方側に延びる姿勢の上側片５ｕと、上側片５ｕの外端部から下方に伸びる姿勢で且つ下端が天板３に載置される外側縦片５ｓとから構成されている。
【００６８】
つまり、五徳爪５Ｂが、内側縦片５ｎ、上側片５ｕ及び外側縦片５ｓにて、下方に開口するコの字状に構成されている、
そして、内側縦片５ｎ、上側片５ｕ及び外側縦片５ｓの夫々が、横断面形状が４角状の軸状部材にて形成されている。
【００６９】
図３及び図４に示すように、五徳枠５Ａは、五徳枠径方向に沿って幅広となる状態に構成され、五徳爪５Ｂにおける内側縦片５ｎの下端が、五徳枠５Ａの外周部に固定されている。
すなわち、五徳枠５Ａは、平面視において、幅広の環状の板体となり、そして、径方向に沿う断面視において、内方側ほど上方に位置する傾斜姿勢で、かつ、外端部に下方に向けて折曲げられた屈曲部Ｗを備える形状に形成されている（図５参照）。
したがって、五徳枠５Ａは、屈曲部Ｗの下端が天板３に接当する状態で、天板３に載置されるように構成されている。
【００７０】
また、図５に明示するように、五徳爪５Ｂの内側縦片５ｎの下端には、小径の軸部Ｄが形成され、五徳枠５Ａにおける内側縦片５ｎの固定箇所には、軸部Ｄが挿入する挿入孔１４が形成されている。
したがって、内側縦片５ｎが、軸部Ｄを挿入孔１４に挿入した状態で、溶接等により、五徳枠５Ａに対して固定されるように構成されている。
【００７１】
また、五徳爪５Ｂにおける外側縦片５ｓの下端部に、天板３に接当する緩衝部材１５が装備されている。
緩衝部材１５は、例えばシリコンゴム等にて形成されるものであって、外側縦片５ｓの下端部が天板３に接当することにより、天板３が損傷するのを抑制するために設けられている。
【００７２】
また、五徳枠５Ａが、上述の如く、五徳枠径方向における外方部に位置する屈曲部Ｗを天板３に載置することになり、そして、五徳枠径方向における内方部にてバーナリング１３を覆う状態で、バーナリング１３に位置決めされるように構成されている。
【００７３】
すなわち、五徳枠５Ａの屈曲部Ｗが、バーナリング１３の外周縁に外嵌するように構成されている。
また、図３及び図４に示すように、五徳枠５Ａの外周側の下面に、一対の位置決め突起１６が設けられ、そして、図６に示すように、バーナリング１３の外周部に、位置決め突起１６が係合する一対の位置決め凹部１７が設けられている。
【００７４】
したがって、五徳枠５Ａは、屈曲部Ｗがバーナリング１３に外嵌し、かつ、位置決め突起１６がバーナリング１３の位置決め凹部１７に係合することによって、バーナリング１３に位置決めされるように構成されている。
【００７５】
ちなみに、図３に示すように、五徳枠５Ａにおける内周側部分の一部には、外方側に凹入する凹部Ｕが形成されており、この凹部Ｕには、コンロバーナ１における点火プラグＰの装着部等が入り込むことになる。
【００７６】
尚、上記の通り、本実施形態においては、五徳枠５Ａを、バーナリング１３にて位置決めする状態で設ける場合を例示したが、五徳枠５Ａをコンロバーナ１にて位置決めする状態で設ける形態で実施してもよい。
【００７７】
図２及び図４に示すように、五徳爪５Ｂの上側片５ｕが、五徳枠径方向における内方側端部を、五徳枠径方向において、内側縦片５ｎの下端部よりも内方側に位置させる形態に構成されている。
そして、内側縦片５ｎが、上方側部を下方側部よりも五徳枠径方向において内方側に位置させる形態、換言すれば、上方側部を下方側部よりも五徳枠径方向において内方側に位置させる傾斜姿勢に構成されている。
【００７８】
ちなみに、本実施形態においては、五徳爪５Ｂの上側片５ｕの五徳枠径方向における内方側端部と、内側縦片５ｎの上方側部とが、五徳枠径方向において同じ位置に位置する状態、つまり、上側片５ｕの五徳枠径方向における内方側端部が、内側縦片５ｎの上方側部よりも、五徳枠径方向において内方側に突出しない状態となる形態に構成される場合を例示する。
【００７９】
以上の通り、本実施形態の五徳５は、五徳爪５Ｂが下向きに開口するコの字状に構成されているから、五徳５を天板３から外して清掃する際に、下向きに開口するコの字状に構成されている五徳爪５Ｂの開口側から奥部側に向けて手指を移動させる形態で、内側縦片５ｎと外側縦片５ｓとの間の空間に対して手指を挿入すれば、他の五徳爪５Ｂにて邪魔されることなく、内側縦片５ｎと外側縦片５ｓとの間の空間に対して手指を適切に挿入できるため、内側縦片５ｎの五徳枠径方向における外方部分、上側片５ｕの下方部分、及び、外側縦片５ｓの五徳枠径方向における内方部分等、五徳爪５Ｂの内方側箇所をも良好に清掃できるものである。
【００８０】
また、五徳爪５Ｂの外側縦片５ｓの下端が天板３にて載置され、内側縦片５ｎの下端部が天板３に載置される五徳枠５Ａに固定されるものであるから、調理容器を載置する上側片５ｕが、内側縦片５ｎと外側縦片５ｓとによって、両持ち姿勢で支持されるものとなって、内側縦片５ｎと上側片５ｕとの接続部分や外側縦片５ｓと上側片５ｕとの接続部分に掛かるモーメントを減少させることができるため、内側縦片５ｎや外側縦片５ｓを、細い軸状部材等、細い部材にて構成することができ、加えて、両持ち姿勢で支持される上側片５ｕも、細い軸状部材等、細い部材にて構成することができるものとなる。
【００８１】
このように、内側縦片５ｎ、外側縦片５ｓ、及び、上側片５ｕを、細い部材にて構成することができるものであるから、五徳爪５Ｂを製作するための材料量を減少させることによって、五徳５の低廉化や軽量化を図ることができる。
また、五徳爪５Ｂを、細い軸状部材等の細い部材を用いて、下向きに開口するコの字状に形成することによって、五徳爪５Ｂの形状が、ほっそりした簡素な形状となり、五徳爪５Ｂの外観が簡素な印象を与えるものとなる。
【００８２】
また、本実施形態のガスコンロは、バーナ挿通用開口１２の内縁とコンロバーナ設置箇所に配置するコンロバーナ１との間の隙間を塞ぐバーナリング１３を設けることにより、調理容器から吹き零れた煮汁等の異物がガスコンロ本体Ｈの内部に侵入することを抑制できる。
【００８３】
そして、五徳５の五徳枠５Ａが、五徳枠径方向における外方部を天板３に載置しかつ五徳枠径方向における内方部にてバーナリング１３を覆う状態で、バーナリング１３に位置決めされた状態で設けられているから、五徳枠５Ａがバーナリング１３を覆う作用によって、バーナリング１３が汚れることを極力抑制できる。
【００８４】
〔別実施形態〕
以下、別実施形態を列記する。
【００８５】
（１）上記実施形態においては、五徳爪５Ｂの内側縦片５ｎ、上側片５ｕ、外側縦片５ｓが、横断面形状が４角状の軸状部材にて形成される場合を例示したが、横断面形状が丸型の軸状部材や横断面形状が６角状の軸状部材にて形成する等、五徳爪５Ｂの内側縦片５ｎ、上側片５ｕ、外側縦片５ｓの具体構成は、各種変更できる。
【００８６】
（２）上記実施形態においては、五徳５における五徳枠５Ａが天板３に載置される場合を例示したが、内側縦片５ｎの下端部を、五徳枠５Ａの下端よりも下方に突出するように形成して、内側縦片５ｎの下端部を、天板３に載置する形態で実施してもよい。
また、五徳枠５Ａもしくは内側縦片５ｎの下端部を天板３ではなくコンロバーナ１に載置する形態や五徳枠５Ａもしくは内側縦片５ｎの下端部をバーナリング１３を介して天板３に載置する形態で実施してもよい。
【００８７】
（３）上記実施形態においては、五徳枠５Ａが、五徳枠径方向に沿って幅広となる状態に構成される場合を例示したが、五徳枠５Ａを、軸状部材にて環状となるように形成してもよく、五徳枠５Ａの具体形状は各種変更できる。
【００８８】
（４）上記実施形態では、五徳爪５Ｂにおける内側縦片５ｎの全体を、上方側部を下方側部よりも五徳枠径方向において内方側に位置させる形態に構成する場合を例示したが、例えば、内側縦片５ｎにおける、五徳枠径方向における内方側部分を、上方側部を下方側部よりも五徳枠径方向において内方側に位置させ、且つ、内側縦片５ｎにおける、五徳枠径方向における外方側部分を、上方側部と下方側部とが五徳枠径方向において同じ位置に位置する形態に構成してもよく、要するに、内側縦片５ｎにおける、少なくとも五徳枠径方向における内方側部分のみを、上方側部を下方側部よりも五徳枠径方向において内方側に位置させる形態に構成すればよい。
【００８９】
（５）上記実施形態では、五徳爪５Ｂが、五徳枠５Ａの周方向における６箇所に設けられる場合を例示したが、五徳爪５Ｂの設置数は、各種変更できるものである。
【００９０】
（６）上記実施形態では、五徳爪５Ｂの上側片５ｕの五徳枠径方向における内方側端部と、内側縦片５ｎの上方側部とが、五徳枠径方向において同じ位置に位置する状態に構成される場合を例示したが、上側片５ｕの五徳枠径方向における内方側端部を、内側縦片５ｎの上方側部よりも、五徳枠径方向において内方側に突出する状態となる形態で実施してもよい。
【００９１】
（７）上記実施形態では、五徳枠５Ａ及び五徳爪５Ｂを、ステンレス材にて構成する場合を例示したが、鍍金処理された金属材や、ホーロー材を用いて構成する等、五徳枠５Ａ及び五徳爪５Ｂを形成する材料は各種変更できる。
【００９２】
（８）上記実施形態では、本発明の五徳５を、キッチンカウンタに組み付けられるガスコンロに適用する場合を例示したが、設置面に載置する形態のガスコンロ等、各種形式のガスコンロにも適用できるものである。
【００９３】
（９）上記実施形態では、ガスコンロの天板３が、ガラス製である場合を例示したが、本発明の五徳５は、天板３がフッ素加工処理された金属製である場合にも、適用できるものである。
【００９４】
（１０）上記実施形態では、本発明の五徳５を、左右一対のコンロバーナ１を備えるガスコンロに適用する場合を例示したが、本発明の五徳５は、３つのコンロバーナ１を備えるガスコンロや、一つのコンロバーナ１を備えるガスコンロ等、種々の形態のガスコンロに適用できるものである。
【符号の説明】
【００９５】
３      天板
Ｈ      ガスコンロ本体
５      五徳
５Ａ    五徳枠
５Ｂ    五徳爪
５ｎ    内側縦片
５ｓ    外側縦片
５ｕ    上側片
１２    バーナ挿通用開口
１３    バーナリング
１５    緩衝部材
【図１】
2014020646.tif 000003
【図２】
2014020646.tif 000004
【図３】
2014020646.tif 000005
【図４】
2014020646.tif 000006
【図５】
2014020646.tif 000007
【図６】
2014020646.tif 000008